(57)【要約】【課題】スライド式２連梯子と足場板の相互間における作業者の乗り移り動作が安全に行え、建物の壁面に対して足場板を接近させることができ、高所作業の安全性向上に寄与することができる壁掛け型簡易足場を提供する。【解決手段】所定の間隔で並列状に配置した二台のスライド式２連梯子１における不動梯子９を、安定ユニット２で結合して所定の傾斜角度で起立状態に保持し、前記二台のスライド式２連梯子１における可動梯子１２の上端に壁当たり３を取付け、前記二台のスライド式２連梯子１における可動梯子１２に踏み棧１１を利用して取付けた足場置ユニット４に足場板５を架設する。【選択図】図１
2006249822.tif 000002
【特許請求の範囲】
【請求項１】
二台のスライド式２連梯子と、所定の間隔で並列状に配置した二台のスライド式２連梯子における不動梯子を互いに結合すると共に、上端で不動梯子を支持した状態で下端を接地させることにより二台のスライド式２連梯子を所定の傾斜角度で起立状態に保持する安定ユニットと、前記二台のスライド式２連梯子における可動梯子の上端に傾斜方向に向けて突出するよう固定して取付けた壁当たりと、前記二台のスライド式２連梯子における可動梯子に踏み棧を利用して取付ける足場置ユニットと、両側の足場置ユニットに架設する足場板とからなる壁掛け型簡易足場。
【請求項２】
上記安定ユニットが、二台のスライド式２連梯子における不動梯子の下部を水平状態で互いに結合する下部結合部材と、二台のスライド式２連梯子における不動梯子の上部を水平状態で互いに結合する上部結合部材と、上端を上部結合部材の端部に結合した状態で下端を接地させる一対の垂直支持杆と、前記下部結合部材の端部と垂直支持杆の下部を結合する一対の接続杆とで形成されている請求項１に記載の壁掛け型簡易足場。
【請求項３】
上記足場置ユニットが、先端下部に可動梯子の踏み棧へ上から嵌め込む係止具を設けた一対の水平支持杆と、上端に可動梯子の踏み棧へ上から嵌め込む係止具が設けられ、下端を前記水平支持杆の後端に結合する一対の吊り下げ杆とからなり、二台のスライド式２連梯子における可動梯子にそれぞれ足場置ユニットを対向状に取付けた状態で、両側足場置ユニットの互いに内側に位置する水平支持杆間に足場板を架設するようになっている請求項１に記載の壁掛け型簡易足場。
【発明の詳細な説明】
【技術分野】
【０００１】
この発明は、内装工事等に使用する壁掛け型簡易足場、更に詳しくは、二台のスライド式２連梯子を用い、壁に対して安定よく傾斜状に立てかけることができ、しかも、作業の条件や進行に合わせて足場板の高さ位置を自由に設定することができ、高所での作業に対して安全性の高い壁掛け型簡易足場に関する。
【背景技術】
【０００２】
例えば、建物の内装工事等において、手の届かないような高所位置の作業を行う場合、作業者が載るための足場を用いることになるが、鋼管をパイプジョイントで結合して組み立てる仮設足場では、組み立てと解体に手間と時間がかかり、このような大掛かりな足場では建物内での使用に不向きであるため、建物内への搬入、搬出が容易で簡単に移動できる簡易足場の使用が必要になる。
【０００３】
従来、組み立てと解体が簡単な簡易足場として、一対のスライド式２連梯子を用いたものが提案されており、この簡易足場は、一対のスライド式２連梯子を両側からブレースで結合することによって、所定の間隔で対向する起立状に配置し、補強として両スライド式２連梯子の両側をアウトリガーによって支持し、対向するスライド式２連梯子の踏み棧間に足場板を架設するようにした構造になっており、スライド式２連梯子を登って前記足場板上に載り、高所での作業を行うと共に、足場板の上下高さ位置を踏み棧の間隔で設定できることになる。
【発明の開示】
【発明が解決しようとする課題】
【０００４】
ところで、スライド式２連梯子を対向する起立状に配置し、踏み棧間に足場板を架設した構造では、スライド式２連梯子の昇降する面と足場板が直角となり、しかも、足場板はスライド式２連梯子の昇降する面に対して内側に位置することになるので、スライド式２連梯子と足場板の相互間における作業者の乗り移り動作が非常に行いにくく、条件によってはスライド式２連梯子の幅方向の外側に身を乗り出す必要があり、高所でこのような無理な体勢での動作は極めて危険であり、また、ブレースの存在により、スライド式２連梯子の途中の位置に架設した足場板には実質的に乗り移れない事態が生じるという問題がある。
【０００５】
また、両スライド式２連梯子の両側をアウトリガーによって支持した構造では、アウトリガーが邪魔となり、建物の壁面に対して足場板を接近させることができず、壁面の高所に対する作業が困難となり、足場板上から身を乗り出した無理な姿勢で作業を行うと、極めて危険である。
【０００６】
そこで、この発明の課題は、二台のスライド式２連梯子を並列配置してその間に足場板を架設することにより、スライド式２連梯子と足場板の相互間における作業者の乗り移り動作が安全に行え、しかも、建物の壁面に対して足場板を接近させることができ、高所作業の安全性向上に寄与することができる壁掛け型簡易足場を提供することにある。
【課題を解決するための手段】
【０００７】
上記の課題を解決するため、この発明は、二台のスライド式２連梯子と、所定の間隔で並列状に配置した二台のスライド式２連梯子における不動梯子を互いに結合すると共に、上端で不動梯子を支持した状態で下端を接地させることにより二台のスライド式２連梯子を所定の傾斜角度で起立状態に保持する安定ユニットと、前記二台のスライド式２連梯子における可動梯子の上端に傾斜方向に向けて突出するよう固定して取付けた壁当たりと、前記二台のスライド式２連梯子における可動梯子に踏み棧を利用して取付ける足場置ユニットと、両側の足場置ユニットに架設する足場板とからなる構成を採用したものである。
【０００８】
上記安定ユニットが、二台のスライド式２連梯子における不動梯子の下部を水平状態で互いに結合する下部結合部材と、二台のスライド式２連梯子における不動梯子の上部を水平状態で互いに結合する上部結合部材と、上端を上部結合部材の端部に結合した状態で下端を接地させる一対の垂直支持杆と、前記下部結合部材の端部と垂直支持杆の下部を結合する一対の接続杆とで形成されている構造とすることができる。
【０００９】
また、上記足場置ユニットが、先端下部に可動梯子の踏み棧へ上から嵌め込む係止具を設けた一対の水平支持杆と、上端に可動梯子の踏み棧へ上から嵌め込む係止具が設けられ、下端を前記水平支持杆の後端に結合する一対の吊り下げ杆とからなり、二台のスライド式２連梯子における可動梯子にそれぞれ足場置ユニットを対向状に取付けた状態で、両側足場置ユニットの互いに内側に位置する水平支持杆間に足場板を架設するようになっている構造とすることができる。
【００１０】
ここで、スライド式２連梯子は、両側縦棧間に一定間隔で踏み棧を設けた不動梯子と可動梯子を上下にスライド可能となるよう組み合わせ、不動梯子に対して可動梯子を踏み棧の間隔で係止することにより、上下の高さ寸法を変化させることができる。
【００１１】
上記足場置ユニットは、水平支持杆の係止具を係止した踏み棧に対して吊り下げ杆の上端係止具を例えば二段上位の踏み棧に係止するように形成され、可動梯子の踏み棧の間隔で上下の取付け高さ位置を選択することができるようになっている。
【発明の効果】
【００１２】
この発明によると、二台のスライド式２連梯子を並列配置してその間に足場板を架設することにより、スライド式２連梯子の昇降面と足場板の長さ方向が平行し、スライド式２連梯子と足場板の相互間における作業者の乗り移り時に、スライド式２連梯子から外側に大きく身を乗り出す必要がなく、また、乗り移りに対する障害物が全くなく、従って、スライド式２連梯子と足場板の相互間における作業者の乗り移り動作が安全に行え、高所作業の安全性向上に寄与することができる
【００１３】
また、並列配置したスライド式２連梯子を壁に立てかけて傾斜させ、両スライド式２連梯子間に足場板を架設したので、スライド式２連梯子を壁に立てかけるだけで、足場板を壁に接近した配置とすることができ、足場板で無理な姿勢をとることなく作業を行うことができるので、壁面の高所に対する作業の安全性を向上させることができる。
【発明を実施するための最良の形態】
【００１４】
以下、この発明の実施の形態を図示例に基づいて説明する。
【００１５】
図１のように、壁掛け型の簡易足場Ａは、二台のスライド式２連梯子１を用い、所定の間隔で並列状に配置した二台のスライド式２連梯子１を所定の傾斜角度で起立状態に保持する安定ユニット２と、前記二台のスライド式２連梯子１における上端に傾斜方向に向けて突出するよう固定した水平の壁当たり３と、前記二台のスライド式２連梯子１の踏み棧を利用してそれぞれに取付ける足場置ユニット４と、両側の足場置ユニット４に架設する足場板５とで形成されている。
【００１６】
上記スライド式２連梯子１は、周知のように、下端に接地部材６を角度可変に取付けた両側縦棧７間に一定間隔で踏み棧８を設けた不動梯子９と、同じく両側縦棧１０間に一定間隔で踏み棧１１を設けた可動梯子１２を上下にスライド可能となるよう組み合わせ、図４のように、可動梯子１２の下部に、この可動梯子１２の上下動によって、不動梯子９の踏み棧８に対して下降方向への係合と解除が行える係止金具１３を取り付け、図示省略したが、不動梯子９と可動梯子１２に設けた滑車に巻回したワイヤーを引っ張り操作して可動梯子１２を上下動させ、可動梯子１２を不動梯子９の踏み棧８の間隔で係止することにより、上下の高さ寸法を変化させることができる構造になっている。
【００１７】
上記安定ユニット２は、図１乃至図６のように、二台のスライド式２連梯子１における不動梯子９の下部を水平状態で互いに結合する下部結合部材１４と、二台のスライド式２連梯子１における不動梯子９の上部を水平状態で互いに結合する上部結合部材１５と、上端を上部結合部材１５の端部に結合した状態で下端を接地させる一対の垂直支持杆１６と、前記下部結合部材１４の端部と垂直支持杆１６の下部を結合する一対の接続杆１７とで形成されている。
【００１８】
上記下部結合部材１４は、二台のスライド式２連梯子１間における不動梯子９の下部前面に水平状態で配置する長いアルミ等の角パイプを用い、不動梯子９の縦棧７と交差する部分が、縦棧７の下部前面側にボルトで固定した抱持金具１８によって縦棧７に固定され、また、上部結合部材１５も二台のスライド式２連梯子１間における不動梯子９の上部前面に水平状態で配置する長いアルミ等の角パイプを用い、不動梯子９の縦棧７と交差する部分が、縦棧７の上部前面側にボルトで固定した抱持金具１９によって縦棧７に固定されている。
【００１９】
上記接続杆１７は、角パイプを用い、二台のスライド式２連梯子１の外側に下部結合部材１４と直角で後方に伸びるよう水平に配置され、その先端部を下部結合部材１４の端部上面に重ね、この重なり部分をボルトとナット２０で結合されている。
【００２０】
上記垂直支持杆１６は、角パイプを用い、下部結合部材１４の両端部に配置され、下端に接地部材２１を取付けた大径下部パイプ２２と、この下部パイプ２２内に上端から挿入した小径上部パイプ２３の組み合わせからなり、大径下部パイプ２２の両側面に上下長さ方向の長孔２４が設けられ、この長孔２４を貫通するボルトとナット２５に小径上部パイプ２３の下端部を結合することにより、長孔２４の範囲で長さの調節が可能になっている。
【００２１】
この垂直支持杆１６は、図５のように、下端を接地させた大径下部パイプ２２を接続杆１７の後端部外側面に重ね、長孔２４を貫通するボルトとナット２６でこの重なり部分を結合し、また、図６のように、小径上部パイプ２３の上端を上部結合部材１５の端部後面に重ね、この重なり部分をボルトとナット２７で結合することにより、スライド式２連梯子１を、例えば７５°の傾斜角度で起立状態に保持するようになっている。
【００２２】
上記壁当たり３は、図９のように、長さ３００ｍｍ程度の角パイプを用い、スライド式２連梯子１における可動梯子１２の両側縦棧１０の上端部後面に、二枚の当て板２８と複数のボルトとナット２９を用い、スライド式２連梯子１の後方へ水平に突出するよう固定され、その先端に壁Ｂへ当接させる転子３０が回転可能に枢止されている。
【００２３】
上記足場置ユニット４は、図７と図８のように、角パイプを用いた一対の水平支持杆３１の先端に踏み棧１１に対して係止する係止具３２を設け、両水平支持杆３１の後端に下端を通しボルトとナット３３で結合した吊り下げ杆３４の上端に踏み棧１１に対して係止する係止具３５を設けた構造になっている。
【００２４】
この係止具３２、３５は、踏み棧１１に上から外嵌するチャンネル材を用い、係止具３２はその両端部上面を水平支持杆３１の先端下面に重ねてボルトとナットで結合固定し、係止具３５はその両端部後面を吊り下げ杆３４の上部前面に重ねてボルトとナットで固定し、踏み棧１１の上に載る内部上面に、硬質ゴムを用いた滑り止め板３６と、踏み棧１１の幅に適合させるための振れ止め３７が設けられている。
【００２５】
この足場置ユニット４は、係止具３２、３５の長さと両水平支持杆３１及び吊り下げ杆３４の配置幅が可動梯子１２の両側縦棧１０間に納まるように形成され、水平支持杆３１の係止具３２を係止した踏み棧１１に対して吊り下げ杆３４の上端係止具３５を、吊り下げ杆３４の傾斜状態で例えば二段上位の踏み棧１１に係止するように形成され、可動梯子１２の踏み棧１１の間隔で上下の取付け高さ位置を選択することができるようになっている。
【００２６】
この発明の壁掛け型簡易足場は上記のような構成であり、二台のスライド式２連梯子１と、安定ユニット２と、壁当たり３と、足場置ユニット４と、足場板５は、分解した状態で搬送や格納される。
【００２７】
作業現場において壁掛け型簡易足場Ａを組み立てるには、先ず、二台のスライド式２連梯子１における可動梯子１２の上端部に壁当たり３を固定し、図３のように、起立させた二台のスライド式２連梯子１を収縮状態にして両側に並列配置し、不動梯子９の下部を安定ユニット２で互に結合することによって、両スライド式２連梯子１を所定の傾斜角度で起立状に保持する。
【００２８】
安定ユニット２は、両側不動梯子９の下端部を下部結合部材１４と、上部を上部結合部材１５で結合し、上端を上部結合部材１５の端部に結合した垂直支持杆１６を垂直にして下端を接地させ、先端を下部結合部材１４に結合した接続杆１７の後端と垂直支持杆１６の下部を結合すれば、並列する二台のスライド式２連梯子１を所定の傾斜角度で起立するように保持することができる。
【００２９】
上記の状態で、両スライド式２連梯子１における可動梯子１２の上部に踏み棧１１を利用して足場置ユニット４を対向状に取付けた状態で、両側足場置ユニット４の互いに内側に位置する水平支持杆３１間に足場板５をフックで架設すれば、図１に示すように、壁掛け型簡易足場Ａの組み立てが完了する。
【００３０】
上記のように組み立てた壁掛け型簡易足場Ａは、図１、図２のように、壁当たり３の先端を壁Ｂに当接させた状態でスライド式２連梯子１を登って足場板５上に載り、壁Ｂの高所作業を行えばよく、壁掛け型簡易足場Ａは、起立させた二台のスライド式２連梯子１の上端が壁当たり３で壁Ｂに当接し、不動梯子９の下端部が接地していると共に、不動梯子９の途中に上端を結合した垂直支持杆１６の下端が接地しているので、所定の傾斜角度で起立状に保持されたスライド式２連梯子１の面方向の安定性が確実に保持される。
【００３１】
また、壁掛け型簡易足場Ａは、二台のスライド式２連梯子１を並列状態で配置し、両者の不動梯子９を安定ユニット２で互に結合しているので、スライド式２連梯子１の幅方向への耐振れ強度が大幅に向上し、スライド式２連梯子１の昇り降りや足場板５上での作業の安全性が向上する。
【００３２】
この壁掛け型簡易足場Ａにおいては、二台のスライド式２連梯子１を並列配置してその間の後面側に足場板５を架設してあるので、スライド式２連梯子１の昇降面と足場板５の長さ方向が平行し、作業者がスライド式２連梯子１と足場板５の相互間において乗り移る時に、スライド式２連梯子１から外側に大きく身を乗り出す必要がなく、安定した体勢のままで載り移りが行え、しかも、スライド式２連梯子１と足場板５の間には、乗り移りに対する障害物が全くなく、作業者の乗り移り動作が安全に行える。
【００３３】
また、両スライド式２連梯子１間に足場板５を、スライド式２連梯子１の後面側に架設したので、スライド式２連梯子１を壁Ｂに立てかけることによって足場板５を壁Ｂに接近した配置とすることができ、これによって、足場板５上で無理な姿勢をとることなく作業を行うことができるので、壁Ｂの高所に対する作業の安全性を向上させることができる。
【００３４】
上記の壁掛け型簡易足場Ａは、両スライド式２連梯子１を伸縮させることにより、作業位置の高さに合わせて足場板５の高さ位置を変化させることができ、図１０（ａ）はスライド式２連梯子１を最も収縮させた状態を示し、図１０（ｂ）は少し伸長させた状態を示し、図１０（ｃ）は最も伸長させた状態を示し、何れにおいても、スライド式２連梯子１の傾斜角度と、壁当たり３の長さは一定であるため、壁Ｂからスライド式２連梯子１の接地点までの距離ａは伸長に比例して離せばよい。
【００３５】
また、足場板５の高さｂは、図１０の各図のごとく伸長に比例して上下するが、壁Ｂと足場板５の間隔ｃは一定に保たれ、従って、伸縮に関係なく、壁Ｂの高所に対する作業の安全性を確保することができる。
【００３６】
なお、使用済み後の壁掛け型簡易足場Ａは、両スライド式２連梯子１を収縮させ、二台のスライド式２連梯子１と、安定ユニット２と、壁当たり３と、足場置ユニット４と、足場板５を組み立て時と逆の手順で分解して搬出すればよい。
【図面の簡単な説明】
【００３７】
【図１】壁掛け型簡易足場の組み立てた使用状態の斜視図
【図２】壁掛け型簡易足場の組み立てた使用状態の縦断側面図
【図３】壁掛け型簡易足場の組み立てた使用状態の縦断正面図
【図４】壁掛け型簡易足場の安定ユニットの部分を示す拡大した縦断側面図
【図５】壁掛け型簡易足場の安定ユニットの下部構造を示す拡大した縦断正面図
【図６】（ａ）は壁掛け型簡易足場の安定ユニットの上部構造を示す拡大した縦断正面図、（ｂ）は同側面図
【図７】壁掛け型簡易足場の足場置ユニットを示す拡大した正面図
【図８】図７の矢印VIII−VIIIに沿う縦断側面図
【図９】（ａ）は壁掛け型簡易足場の壁当たりを示す拡大した縦断正面図、（ｂ）は同横断平面図
【図１０】（ａ）乃至（ｃ）は壁掛け型簡易足場の上下伸縮高さの異なる状態を示す側面図
【符号の説明】
【００３８】
Ａ        壁掛け型の簡易足場
１        スライド式２連梯子
２        安定ユニット
３        壁当たり
４        足場置ユニット
５        足場板
６        接地部材
７        縦棧
８        踏み棧
９        不動梯子
１０      縦棧
１１      踏み棧
１２      可動梯子
１３      係止金具
１４      下部結合部材
１５      上部結合部材
１６      垂直支持杆
１７      接続杆
１８      抱持金具
１９      抱持金具
２０      ボルトとナット
２１      接地部材
２２      大径下部パイプ
２３      小径上部パイプ
２４      長孔
２５      ボルトとナット
２６      ボルトとナット
２７      ボルトとナット
２８      当て板
２９      ボルトとナット
３０      転子
３１      水平支持杆
３２      係止具
３３      通しボルトとナット
３４      吊り下げ杆
３５      係止具
３６      滑り止め板
３７      振れ止め
【図１】
2006249822.tif 000003
【図２】
2006249822.tif 000004
【図３】
2006249822.tif 000005
【図４】
2006249822.tif 000006
【図５】
2006249822.tif 000007
【図６】
2006249822.tif 000008
【図７】
2006249822.tif 000009
【図８】
2006249822.tif 000010
【図９】
2006249822.tif 000011
【図１０】
2006249822.tif 000012